(57)【要約】【課題】エレベーターの乗りかご体において、コーキング等を行うことなく、かご室の内部空間を構成する複数のパネル部材の向かい合う隙間に毛細管作用でかご室外からの油が入り込むことを抑制することである。【解決手段】エレベーターの乗りかご体２０は、かご室内壁を構成する平板部、及び、平板部の周縁からかご室外側に垂直に折れ曲る周面部を有する皿形状の複数のパネル部材を互いに接続してかご室２３の所定の内部空間を形成したかご室構造体２２と、かご室構造体２２を構成する複数のパネル部材について２つのパネル部材を互いに接続する対向接触面のかご室外側の合わせ目を覆う閉塞部材８０，８２と、を備える。【選択図】図１
2019156563.tif 000002
【特許請求の範囲】
【請求項１】
かご室内壁を構成する平板部、及び、前記平板部の周縁からかご室外側に垂直に折れ曲る周面部を有する皿形状の複数のパネル部材を互いに接続してかご室の所定の内部空間を形成したかご室構造体と、
前記かご室構造体を構成する複数の前記パネル部材について２つの前記パネル部材を互いに接続する対向接触面のかご室外側の合わせ目を覆う閉塞部材と、
を備える、エレベーターの乗りかご体。
【請求項２】
前記対向接触面は、
隣接する２つの前記パネル部材の一方側の前記周面部と他方側の前記周面部とを向い合わせた周面部接触面であり、
前記閉塞部材は、前記周面部接触面のかご室外側の前記合わせ目を覆う周面部閉塞部材である、請求項１に記載のエレベーターの乗りかご体。
【請求項３】
前記対向接触面は、
隣接する２つの前記パネル部材の一方側の前記平板部と他方側の前記周面部とを向い合わせた平板部接触面であり、
前記閉塞部材は、前記平板部接触面のかご室外側の前記合わせ目を覆う平板部閉塞部材である、請求項１に記載のエレベーターの乗りかご体。
【請求項４】
前記閉塞部材は、
前記対向接触面を構成する２つの前記パネル部材の向かい合う部分を両側から挟み込む弾性体のクリップ部材と、
前記クリップ部材の内面と前記対向接触面の前記合わせ目との間に配置された吸油性部材と、
を有する、請求項１に記載のエレベーターの乗りかご体。
【請求項５】
前記閉塞部材は、
所定の長尺寸法で形成された長尺閉塞部材を、所定の長さに切断した部材である、請求項４に記載のエレベーターの乗りかご体。
【発明の詳細な説明】
【技術分野】
【０００１】
本開示は、エレベーターの乗りかご体に係り、特に、複数のパネル部材を互いに接続してかご室の所定の内部空間が形成されるエレベーターの乗りかご体に関する。
【背景技術】
【０００２】
エレベーターは、建物の各階の乗場からの利用客を乗りかごに乗せ、利用客の要求に応じて建物を縦貫する昇降路の中を昇降させて、利用客の所望の乗場に着床して利用客を降ろす利用客運搬装置である。乗りかごの昇降路内の移動を案内するために、乗りかごを挟んで一対のガイドレールが昇降路内に垂直に設けられ、乗りかごにはガイドシューが設けられる。乗りかごが昇降すると、ガイドシューはガイドレールに摺動しながら案内される。摺動抵抗を少なくするために、ガイドレールに給油が行われる。
【０００３】
特許文献１では、ガイドレールに給油した油は、ガイドレールに沿って自然落下しピット床面に設けられた油受皿に溜まる一方で、ガイドレールを摺動するガイドシューの接触面を伝わってガイドシューの下面に集まり、油滴となって落下することを指摘する。そして、エレベーターが走行すると、その風圧により、ガイドシューの下面から油滴が飛散し、かご、釣合おもり、昇降路、ピットを汚し、その清掃に多大の労力と時間を必要とすると述べている。
【０００４】
本開示に関連する技術として、特許文献２には、エレベーターのかご室壁は、複数の壁パネルを連結して構成されることを述べている。壁パネルは、室壁面部、室壁面部から室外側に直角に屈曲された側面部、及び、側面部から室壁面部に平行に屈曲されたフランジ部等を有する金属板の成形品で、壁パネルの室壁面部及び側面部には化粧材が全面に貼着されている。
【０００５】
従来は、隣接壁パネルの側面部が相対向する隙間に、目地材を介在させ、これらを貫通するボルトにナットを締付けることで連結するので、化粧材の貼替えをするには、かご室を分解し、壁パネル単体ごとに化粧材を貼替え、かご室を再組立する必要を指摘する。そこで、隣接壁パネルの全高にわたる高さを有して隣接壁パネルのフランジ部を互いに連結する連結部材を設け、隣接壁パネルの側面部が相対向する隙間内に室内側に取外し可能な目地材を嵌合させ、目地材の室外側側面を連結部材で支持する構成を開示している。これによれば、連結部材で隣接壁パネルは連結されている状態のままで目地材は室内側に取外すことができるので、隣接壁パネルを分解することなく化粧材の貼替えが可能になる。
【先行技術文献】
【特許文献】
【０００６】
【特許文献１】実開昭６３−１０７２６０号公報
【特許文献２】特開平６−１４４７４３号公報
【発明の概要】
【発明が解決しようとする課題】
【０００７】
乗りかごにおけるかご室の内部空間は、パネル部材を組み合わせて構成されることが多い。例えば、天井部のパネル部材と床部との間の側壁部は、複数のパネル部材の側面を互いに向かい合わせながら環状に配置して接続することで形成される。かご室内部からはパネル部材の合わせ目が縦方向に視認される。複数のパネル部材は締結等で接続されるので、合わせ目にはほとんど隙間がない。ところが、かご室内に油が滲み出ることが分かり、その原因を調べると、乗りかごの外部におけるガイドレールの潤滑のための給油が飛散し、パネル部材の合わせ目における例えば１ｍｍ以下の狭い隙間を毛細管作用によってかご室内に滲みだすことが分かった。かご室外からの油がかご室内に滲み出ると、かご室内の外観意匠等を損ない、場合によっては、かご室内の利用者に不測の汚れを与える可能性がある。
【０００８】
これを防ぐには、メンテナンスの際に乗りかごの外側に付着している油汚れ等を拭き取ることが考えられるが、隙間に毛細管作用で入り込んだ油を拭き取ることは困難である。また、乗りかごの外側における向かい合うパネル部材の隙間の全てに、例えばシリコーン樹脂のコーキングを行うことが考えられるが、既に設置済みのエレベーターについてこれを行う場合、昇降路内での作業となり、多大な負荷と時間を要する。そこで、コーキング等を行うことなく、かご室の内部空間を構成する複数のパネル部材の向かい合う隙間に毛細管作用でかご室外からの油が入り込むことを抑制できるエレベーターの乗りかご体が要望される。
【課題を解決するための手段】
【０００９】
本開示に係るエレベーターの乗りかご体は、かご室内壁を構成する平板部、及び、平板部の周縁からかご室外側に垂直に折れ曲る周面部を有する皿形状の複数のパネル部材を互いに接続してかご室の所定の内部空間を形成したかご室構造体と、かご室構造体を構成する複数のパネル部材について２つのパネル部材を互いに接続する対向接触面のかご室外側の合わせ目を覆う閉塞部材と、を備える。
【００１０】
上記構成によれば、かご室構造体においてパネル部材を互いに接続する対向接触面のかご室外側の合わせ目を閉塞部材で覆うので、２つのパネル部材が向かい合う対向接触面の隙間に毛細管作用でかご室外からの油が入り込むことを抑制できる。
【００１１】
本開示に係るエレベーターの乗りかご体において、対向接触面は、隣接する２つのパネル部材の一方側の周面部と他方側の周面部とを向い合わせた周面部接触面であり、閉塞部材は、周面部接触面のかご室外側の合わせ目を覆う周面部閉塞部材であることが好ましい。
【００１２】
平板部と周面部とを有するパネル部材を互いに接続する例として、隣接する２つのパネル部材の一方側の周面部と他方側の周面部とを向い合わせる場合があり、この場合には、向かい合う周面部が接触する。上記構成によれば、周面部接触面のかご室外側における合わせ目を周面部閉塞部材で覆う。これにより、周面部接触面の隙間に毛細管作用でかご室外からの油が入り込むことを抑制できる。
【００１３】
本開示に係るエレベーターの乗りかご体において、対向接触面は、隣接する２つのパネル部材の一方側の平板部と他方側の周面部とを向い合わせた平板部接触面であり、閉塞部材は、平板部接触面のかご室外側の合わせ目を覆う平板部閉塞部材であることが好ましい。
【００１４】
平板部と周面部とを有するパネル部材を互いに接続する例として、隣接する２つのパネル部材の一方側の平板部と他方側の周面部とを向い合わせる場合があり、この場合には、向かい合う平板部と周面部とが接触する。上記構成によれば、平板部接触面のかご室外側における合わせ目を平板部閉塞部材で覆う。これにより、平板部接触面の隙間に毛細管作用でかご室外からの油が入り込むことを抑制できる。
【００１５】
本開示に係るエレベーターの乗りかご体において、閉塞部材は、対向接触面を構成する２つのパネル部材の向かい合う部分を両側から挟み込む弾性体のクリップ部材と、クリップ部材の内面と対向接触面の合わせ目との間に配置された吸油性部材と、を有することが好ましい。
【００１６】
上記構成によれば、閉塞部材は、クリップ部材を有するので、隣接するパネル部材の向かい合う対向接触面をしっかり挟む作業によって対向接触面を完全に覆うことができる。また、閉塞部材は、吸油性部材を有するので、仮に油が飛散してきても、対向接触面の隙間に入り込む前に吸い込むことができる。これによって、乗りかごの外側から壁側対向接触面に毛細管作用でかご室外からの油が入り込むことを抑制できる。
【００１７】
本開示に係るエレベーターの乗りかご体において、閉塞部材は、所定の長尺寸法で形成された長尺閉塞部材を、所定の長さに切断した部材であることが好ましい。
【００１８】
かご室構造体を構成するパネル部材の寸法等によって対向接触面のかご室外側の合わせ目の長さが異なるので、それぞれの長さの閉塞部材を用意する必要がある。上記構成によれば、長尺閉塞部材を実際の合わせ目の長さに合わせて切断できるので便利である。
【発明の効果】
【００１９】
上記構成のエレベーターの乗りかご体によれば、コーキング等を行うことなく、かご室内壁を構成する複数のパネル部材の向かい合う隙間に対し、毛細管作用でかご室外からの油が入り込むことを抑制できる。
【図面の簡単な説明】
【００２０】
【図１】実施の形態に係るエレベーターの乗りかご体の斜視図である。
【図２】図１の乗りかご体の上面図である。
【図３】図１の乗りかご体の側面図である。
【図４】実施の形態に係るエレベーターの乗りかご体における対向接触面の例を示す図である。
【図５】図１のＶ部の断面図である。
【図６】図１のＶＩ部の断面図である。
【図７】長尺閉塞部材を切断して所望の長さの閉塞部材を得る方法を示す図である。
【発明を実施するための形態】
【００２１】
以下に図面を用いて本開示に係る実施の形態につき、詳細に説明する。以下では、パネル部材の平面形状を矩形として直方体の乗りかご構造体について述べるが、これは説明のための例示である。複数のパネル部材を用いてかご室の所定の内部空間が形成できればよく、矩形以外の平面形状を有するパネル部材を用いてもよい。例えば、多角形のパネル部材で天井部を構成し、多角形の平面形状を有するかご室としてもよい。以下では、床部を除く部分についてパネル部材を用いてかご室構造体を構成するものとするが、これは説明のための例示であって、複数のパネル部材を用いるかご室構造体であればよい。以下で述べる形状、材質、パネル部材の数等は、説明のための例示であって、エレベーターの乗りかご体の仕様等に合わせ、適宜変更が可能である。以下では、全ての図面において同様の要素には同一の符号を付し、重複する説明を省略する。
【００２２】
図１は、エレベーターの乗りかご体２０の構成を示す斜視図である。以下では、特に断らない限り、エレベーターの乗りかご体２０を、乗りかご体２０と呼ぶ。乗りかご体２０は、建物を縦方向に縦貫する昇降路１０内を昇降する利用客運搬装置であるエレベーターの乗りかごから付帯機器等を取り去った箱体の部分である。図１では、乗りかご体２０が乗りかごとなった場合に昇降する昇降路１０、乗りかごの昇降路１０内の昇降を案内する一対のガイドレール１２，１３、乗りかご体２０に設けられてガイドレール１２，１３と摺動する一対のガイドシュー１４，１５が示される。
【００２３】
一対のガイドシュー１４，１５に取り付けられる一対の給油装置１６，１７は、ガイドレール１２とガイドシュー１４との間、及びガイドレール１３とガイドシュー１４との間の摺動抵抗を少なくするための潤滑油を供給する装置である。潤滑油は、ガイドレール１２とガイドシュー１４との間、及びガイドレール１３とガイドシュー１４との間を通った後、エレベーターの昇降路１０内の移動によって生じる風圧等によって昇降路１０内に油滴１８となって飛散し、乗りかご体２０の外側に付着する。場合によっては、乗りかご体２０の下部から垂れ、昇降路１０の最下部であるピットまで落ちる。
【００２４】
図１において、直交する上下方向と奥行方向と幅方向とを示す。上下方向は、昇降路１０が延びる方向であり、乗りかご体２０の昇降方向である。建物の上層階に向かう方向が上方側で、下層階に向かう方向が下方側である。奥行方向は、建物の乗場から昇降路１０へ向かう方向に平行な方向であり、乗りかご体２０においてかご扉が設けられる開口部１９側を乗場側、乗場側と反対方向を昇降路側と呼ぶ。幅方向は、建物の乗場から乗りかご体２０を見て、左方が左側方向で、右方が右側方向である。以下の図においても同様である。
【００２５】
乗りかご体２０は、かご室構造体２２と、複数の閉塞部材８０，８２を含んで構成される。かご室構造体２２は、複数のパネル部材を互いに接続して所定の内部空間を有するかご室２３を形成した構造体である。閉塞部材８０，８２は、かご室構造体２２を構成する複数のパネル部材について２つのパネル部材を互いに接続する対向接触面のかご室外側の合わせ目を覆う保護部材である。閉塞部材８０，８２は、昇降路１０内に飛散した油滴１８が合わせ目の隙間に入り込むことを防止するために設けられる。図１では、乗りかご体２０の昇降路側の側面においてのみ閉塞部材８０，８２の配置を示し、その他の側面においては閉塞部材８０，８２の図示を省略する。
【００２６】
かご室構造体２２は、かご室２３の床部２４、かご室２３の天井部２６、及び、かご室２３の側壁部２８を含んで構成される。かご室２３の内部空間は、床部２４、天井部２６、及び側壁部２８で囲まれた空間で、エレベーターの利用客を収容する空間である。乗りかご体２０は、床部２４を除いて、複数のパネル部材を組み合わせて形成される。床部２４は、乗りかご体２０の床面を構成する部材で、乗りかごカーペット等が敷設される平板部材である。床部２４をパネル部材で構成してもよい。
【００２７】
パネル部材とは、矩形形状の平板部、及び、平板部の周囲４辺のそれぞれから立設する４つの周面部を有する矩形皿形状の部材である。かかるパネル部材としては、適当な強度を有する材料を矩形皿形状に成形したものが用いられる。材料としては鉄材等の金属を用いることができる。この場合、金属板を適当な打抜き加工と折り曲げ加工等で矩形皿形状に成形したものをパネル部材として用いることができる。
【００２８】
図１に加え、図２、図３を用いて、乗りかご体２０を構成する複数のパネル部材の内容を説明する。図２は、図１の乗りかご体２０を上方側から見た上面図であり、図３は、幅方向の右側から見た側面図である。
【００２９】
かご室２３の天井部２６は、かご室天井壁を構成する矩形形状の天井平板部５０、及び、天井平板部５０の周囲四辺のそれぞれからかご室２３の外側に垂直に折れ曲る４つの天井周面部を有する矩形皿形状の天井パネル部材である。図２に、４つの天井周面部５１，５２，５３，５４を示す。４つの天井周面部５１等は、かご室構造体２２において、最も上方側に配置される天井平板部５０から上方側に垂直に立設される。乗りかご体２０を右側から見た図３では、天井部２６として、天井周面部５２が示される。
【００３０】
かご室２３の側壁部２８は、天井部２６に接続される１１枚の縦長パネル部材３０，３１，３２，３３，３４，３５，３６，３７，３８，３９，４０、及び、床部２４に接続される５枚の幅木パネル部材４１，４２，４３，４４，４５で構成される。１１枚の縦長パネル部材は、いずれも上下方向に長く、上下方向に垂直な方向に短い寸法を有する。幅木パネル部材４１，４２，４３，４４，４５のうち、幅木パネル部材４２，４３，４４は、上下方向に短く、上下方向に垂直な方向に長い寸法を有する横長のパネル部材である。
【００３１】
幅木パネル部材４１，４２，４３，４４，４５は、かご室２３の側壁部２８のうちで床部２４に接続される幅木と呼ばれる部分である。幅木は、利用客の靴や、台車等が直接接触する部分で、傷つきやすいので、幅木のかご室２３の内側面は、例えば、金属板等が貼付される。縦長パネル部材３０，４０、及び、幅木パネル部材４１，４５は、乗りかご体２０において、かご扉が設けられる開口部１９の両側に配置されるパネル部材である。
【００３２】
縦長パネル部材３１等と、幅木パネル部材４１等は、いずれも、矩形形状の壁平板部６０と、壁平板部６０の周囲四辺からかご室２３の外側である昇降路１０側に垂直に折れ曲る４つの壁周面部６１，６２，６３，６４を有する矩形皿形状のパネル部材である。
【００３３】
壁平板部６０の平面積は、１１枚の縦長パネル部材と５枚の幅木パネル部材について同じではない。図１〜図３の例では、縦長パネル部材３１，３２，３３，３４，３５，３６，３７，３８，３９の９枚について壁平板部６０の面積は同じであるが、これに対し、残りの縦長パネル部材３０，４０の２枚についての壁平板部６０の面積は狭い。また、幅木パネル部材４２，４４の２枚の壁平板部６０の面積は同じであるが、幅木パネル部材４３の壁平板部６０の面積はこれらよりやや広い。幅木パネル部材４１，４５の２枚の壁平板部６０の壁平板部６０の面積は同じであるが、他の幅木パネル部材４２，４４，４３の壁平板部６０に比べると狭い面積である。
【００３４】
側壁部２８を構成する１６枚のパネル部材についての４つの壁周面部６１，６２，６３，６４を区別する場合は、かご室構造体２２の上方側に配置される壁周面部を上壁周面部６１と呼び、下方側に配置される壁周面部を下壁周面部６２と呼ぶ。そして、上下方向に延びる２つの壁周面部を縦壁周面部６３，６４と呼ぶ。２つの縦壁周面部６３，６４を区別する場合は、かご室構造体２２の外側から見て左側に配置される縦壁周面部を一方側の縦壁周面部６３と呼び、右側に配置される縦壁周面部を他方側の縦壁周面部６４と呼ぶ。
【００３５】
天井部２６の１枚のパネル部材と、側壁部２８の１１枚の縦長パネル部材と、５枚の幅木パネル部材と、床部２４は、以下のように互いに接続されてかご室構造体２２を形成する。ここで「接続」とは、ボルトとナット等を用いて締結固定されることを意味する。
【００３６】
５枚の幅木パネル部材において、幅木パネル部材４１は、壁平板部６０の他方側の縦壁周面部６４側の端面が幅木パネル部材４２における一方側の縦壁周面部６３に接続される。幅木パネル部材４２は、他方側の縦壁周面部６４が幅木パネル部材４３の壁平板部６０の一方側の縦壁周面部６３側の端面に接続される。幅木パネル部材４３は、壁平板部６０の他方側の縦壁周面部６４側の端面が幅木パネル部材４４の一方側の縦壁周面部６３に接続される。幅木パネル部材４４は、他方側の縦壁周面部６４が幅木パネル部材４５の壁平板部６０の一方側の縦壁周面部６３側の端面に接続される。このようにして、開口部１９の部分を除いて環状に接続された環状幅木部分は、各幅木パネル部材４１，４２，４３，４４，４５の下壁周面部６２がそれぞれ床部２４と接続される。
【００３７】
１１枚の縦長パネル部材において、縦長パネル部材３０は、壁平板部６０の他方側の縦壁周面部６４側の端面が縦長パネル部材３１における一方側の縦壁周面部６３に接続される。縦長パネル部材３１は、他方側の縦壁周面部６４が縦長パネル部材３２の一方側の縦壁周面部６３に接続される。縦長パネル部材３２は、他方側の縦壁周面部６４が縦長パネル部材３３の一方側の縦壁周面部６３に接続される。縦長パネル部材３３は、他方側の縦壁周面部６４が縦長パネル部材３４の壁平板部６０の一方側の縦壁周面部６３側の端面に接続される。縦長パネル部材３４は、他方側の縦壁周面部６４が縦長パネル部材３５の一方側の縦壁周面部６３に接続される。縦長パネル部材３５は、他方側の縦壁周面部６４が縦長パネル部材３６の一方側の縦壁周面部６３に接続される。縦長パネル部材３６は、壁平板部６０の他方側の縦壁周面部６４側の端面が縦長パネル部材３７の一方側の縦壁周面部６３に接続される。縦長パネル部材３７は、他方側の縦壁周面部６４が縦長パネル部材３８の一方側の縦壁周面部６３に接続される。縦長パネル部材３８は、他方側の縦壁周面部６４が縦長パネル部材３９の一方側の縦壁周面部６３に接続される。縦長パネル部材３９は、他方側の縦壁周面部６４が縦長パネル部材４０の壁平板部６０の一方側の縦壁周面部６３側の端面に接続される。このようにして、開口部１９の部分を除いて環状に接続された環状縦長パネル部分が形成される。
【００３８】
環状縦長パネル部分は、各縦長パネル部材３０，３１，３２，３３，３４，３５，３６，３７，３８．３９，４０の上壁周面部６１がそれぞれ天井部２６の天井平板部５０の４つの天井周面部側の端面に接続される。また、環状縦長パネル部分は、各縦長パネル部材３０，３１，３２，３３，３４，３５，３６，３７，３８．３９，４０の下壁周面部６２が、環状幅木部分の各幅木パネル部材４１，４２，４３，４４，４５の上壁周面部６１にそれぞれ接続される。このようにして、かご室構造体２２が形成される。
【００３９】
かご室構造体２２を形成する過程において、隣接するパネル部材は、２通りの接続方法によって互いに接続される。１つの接続方法は、「隣接する２つのパネル部材において、一方側のパネル部材の周面部と、他方側のパネル部材の周面部とを接続する」方法である。もう１つの接続方法は、「隣接する２つのパネル部材において、一方側のパネル部材の平板部の端面と、他方側のパネル部材の周面部等を接続する」方法である。後者には変形例として、「隣接する２つのパネル部材において、一方側のパネル部材の周面部と、他方側のパネル部材の平板部の端面とを接続する」方法がある。
【００４０】
上記２つの接続方法について、図４を用いてさらに詳細に説明する。図４（ａ）は、図３のＩＩＩ部を抜き出した側面図である。図４（ａ）では、図１から図３と同様に、複数のパネル部材の周面部の板厚を図示できないので、線図で各パネル部材の周面部が示される。図４（ｂ），（ｃ），（ｄ）は、図４（ａ）におけるＢ部、Ｃ部、Ｄ部の拡大図で、各パネル部材の板厚が図示されている。
【００４１】
図４（ｂ）と（ｃ）は、「隣接する２つのパネル部材において、一方側のパネル部材の周面部と、他方側のパネル部材の周面部とを接続する」方法の例である。図４（ｄ）は、さらに、「隣接する２つのパネル部材において、一方側のパネル部材の平板部の端面と、他方側のパネル部材の周面部を接続する」方法が加わった例である。
【００４２】
図４（ｂ）では、隣接する２つの縦長パネル部材３１，３２において、一方側の縦長パネル部材３１の他方側の縦壁周面部６４と、他方側の縦長パネル部材３２の一方側の縦壁周面部６３とが接続される。一方側の縦長パネル部材３１の他方側の縦壁周面部６４と、他方側の縦長パネル部材３２の一方側の縦壁周面部６３とが互いに向い合う面は、対向接触面であるが、もう１つの接続方法における対向接触面と区別して、周面部接触面７０と呼ぶ。
【００４３】
図４（ｃ）では、（ｂ）と同様に、隣接する２つの縦長パネル部材３１，３２において、一方側の縦長パネル部材３１の他方側の縦壁周面部６４と、他方側の縦長パネル部材３２の一方側の縦壁周面部６３とが接続される。この部分は、図４（ｂ）と同様に、上下方向に延びる周面部接触面７０を介して、一方側の縦長パネル部材３１の他方側の縦壁周面部６４と、他方側の縦長パネル部材３２の一方側の縦壁周面部６３とが向かい合う。さらに、隣接する幅木パネル部材４２と、縦長パネル部材３１において、一方側の幅木パネル部材４２の上壁周面部６１と、他方側の縦長パネル部材３１の下壁周面部６２とが接続される。同様に、隣接する幅木パネル部材４２と、縦長パネル部材３２において、一方側の幅木パネル部材４２の上壁周面部６１と、他方側の縦長パネル部材３２の下壁周面部６２とが接続される。ここでは、幅方向に延びる周面部接触面７０を介して、一方側の幅木パネル部材４２の上壁周面部６１と、他方側の縦長パネル部材３１，３２の下壁周面部６２とが向かい合う。
【００４４】
図４（ｄ）では、（ｂ），（ｃ）と同様に、隣接する２つの縦長パネル部材３１，３２において、一方側の縦長パネル部材３１の他方側の縦壁周面部６４と、他方側の縦長パネル部材３２の一方側の縦壁周面部６３とが接続される。この部分は、図４（ｂ）,（ｃ）と同様に、上下方向に延びる周面部接触面７０を介して、一方側の縦長パネル部材３１の他方側の縦壁周面部６４と、他方側の縦長パネル部材３２の一方側の縦壁周面部６３とが向かい合う。
【００４５】
さらに、隣接する２つのパネル部材として、天井部２６と縦長パネル部材３１とにおいて、天井部２６の天井平板部５０の天井周面部５２側の端面と、縦長パネル部材３１の上壁周面部６１とが接続される。同様に、隣接する２つのパネル部材として、天井部２６と縦長パネル部材３２とにおいて、天井部２６の天井平板部５０の天井周面部５２側の端面と、縦長パネル部材３２の上壁周面部６１とが接続される。ここでは、一方側の天井部２６の天井平板部５０の天井周面部５２側の端面と、他方側の縦長パネル部材３１，３２の上壁周面部６１とが向かい合う。向い合う面は、対向接触面であるが、周面部接触面７０と区別して、平板部接触面７２と呼ぶ。
【００４６】
対向接触面である周面部接触面７０及び平板部接触面７２は、かご室２３側から見ると、線状の合わせ目として視認されるが、実際には僅かな隙間ΔＳがある。隙間ΔＳは目視では視認できない程度で、１ｍｍ以下のことが多い。この隙間ΔＳに給油装置１６から飛散した油滴１８が付着すると、毛細管作用で油滴１８が隙間ΔＳに浸透し、かご室２３側に滲み出てくる。
【００４７】
図１に戻り、乗りかご体２０の昇降路側の側面において示される閉塞部材８０，８２は、かご室構造体２２を構成する複数のパネル部材について２つのパネル部材を互いに接続する対向接触面のかご室外側の合わせ目を覆う保護部材である。閉塞部材８０，８２は、昇降路１０内に飛散した油滴１８が合わせ目の隙間ΔＳに入り込むことを防止するために設けられる。閉塞部材８０は、周面部接触面７０における合わせ目を覆い、閉塞部材８２は、平板部接触面７２における合わせ目を覆う。
【００４８】
閉塞部材８０，８２について、図５から図７を用いて説明する。図５は、図１のＶ部の断面図で、周面部接触面７０を覆う閉塞部材８０を示す図であり、図６は、図１のＶＩ部の断面図で、平板部接触面７２を覆う閉塞部材８２を示す図である。図７は、配置場所によって長さの異なる閉塞部材８０，８２を簡単な方法で得ることができる長尺閉塞部材１３０を示す図である。
【００４９】
図５に示す閉塞部材８０は、乗りかご体２０において、縦長パネル部材３４の他方側の縦壁周面部６４と、縦長パネル部材３５の一方側の縦壁周面部６３とが向かい合ってかご室外側に突き出す突出部７６を覆う部材である。閉塞部材８０によって、周面部接触面７０と合わせ目７１は、昇降路１０内に飛散した油滴１８の侵入に対し保護される。
【００５０】
閉塞部材８０は、クリップ部材９０と吸油性部材９２とを有する。クリップ部材９０は、対向接触面である周面部接触面７０を構成する縦長パネル部材３４の他方側の縦壁周面部６４と、縦長パネル部材３５の一方側の縦壁周面部６３を両側から挟み込む弾性体のクリップである。クリップ部材９０は、突出部７６に対し幅方向に左右対称形の断面を有する。断面形状において、幅方向に延びる背面部９４と、背面部９４の幅方向の両側で背面部９４に対しほぼ直角に曲げられた両側面部９６，９７と、両側面部９６，９７の両先端側の間隔を狭めた両挟み部９８，９９を有する。両挟み部９８，９９は、自然状態において付勢力を有して互いに押し付け合って接触する。クリップ部材９０は、周面部接触面７０において向かい合う縦壁周面部６３，６４の両側を挟むと、強制力を加えない限り外れることがない。
【００５１】
クリップ部材９０は、両挟み部９８，９９からさらに先端側に延びる両開口ガイド部１００，１０１を有する。両開口ガイド部１００，１０１は、先端側に行くに連れて開口間隔が広がる形状を有する。保守作業員は、クリップ部材９０を手で持って、両開口ガイド部１００，１０１を突出部７６の先端に押し当てることで、両開口ガイド部１００，１０１が開き、クリップ部材９０を突出部７６に対し幅方向の両側から容易に挟み込むことができる。クリップ部材９０の挟み込み作業に際し、開口支援治具を用いてもよい。
【００５２】
かかるクリップ部材９０は、弾性を有する金属板の両端部を合わせるように曲げ、両挟み部９８，９９において付勢力を発生するように所定の形状に成形したものを用いることができる。
【００５３】
吸油性部材９２は、閉塞部材８０の上下方向の端部側から油滴１８が侵入する等の場合に、油を吸い込んで保持し、合わせ目７１から隙間ΔＳに入り込むことを確実に防止するために設けられる。吸油性部材９２は、クリップ部材９０の内面側で、背面部９４、両側面部９６，９７、両挟み部９８，９９で構成される中空部を囲む閉鎖形状断面内に予め配置される。かかる吸油性部材９２としては、スポンジ、フェルト、不織布等を用いることができる。
【００５４】
図６に示す閉塞部材８２は、乗りかご体２０において、天井部２６の天井平板部５０と、縦長パネル部材３５の上壁周面部６１とが向かい合ってかご室外側に突き出す突出部７８を覆う部材である。閉塞部材８２によって、平板部接触面７２と合わせ目７３は、昇降路１０内に飛散した油滴１８の侵入に対し保護される。
【００５５】
閉塞部材８２は、クリップ部材１１０と吸油性部材１１２とを有する。図５のクリップ部材９０が突出部７６に対し幅方向に左右対称形の断面を有しているが、クリップ部材１１０は、突出部７８に対し天井部２６の天井周面部５２の高さ分だけ片側に延びた非対称の断面を有する。そのために、背面部１１４が図５の背面部９４に対しやや長めの寸法となり、両挟み部１１８，１１９の断面形状も突出部７８に対し幅方向に非対称となる。両側面部１１６，１１７、両開口ガイド部１２０，１２１の断面形状は、突出部７８に対し幅方向にほぼ対称形である。
【００５６】
クリップ部材１１０の作用、材質等はクリップ部材９０と同様であるので、詳細な説明を省略する。吸油性部材１１２も図５の吸油性部材９２よりやや大きめの体積を有するが、材質、作用等は、吸油性部材９２と同様であるので、詳細な説明を省略する。
【００５７】
閉塞部材８０，８２は、かご室構造体２２において、複数のパネル部材を接続することでかご室外側に現われるパネル部材の合わせ目７１，７３について、パネル部材の４隅の部分を除き、全長に渡って配置される。図１に示すように、複数のパネル部材の大きさは同一ではないので、複数の閉塞部材８０，８２の長さは同一ではない。必要な長さに合わせて予め複数の閉塞部材８０，８２を製作するのは手間がかかる。図７は、予め長尺閉塞部材１３０を製作し、保守作業員が閉塞部材８０の取付作業を行う建物の現場において、エレベーターの現物に合わせて、必要な長さＬに切断し、これを閉塞部材８０とする例を示す図である。長尺閉塞部材１３０は、弾性を有する長尺金属板を用い、予め吸油性部材９２を配置して、これを包むようにして、長尺金属板の両端部を合わせるように曲げ、両挟み部９８，９９において付勢力を発生するように所定の形状に成形して製作する。長尺閉塞部材１３０を用いることで、閉塞部材８０，８２の長さが適切となり、閉塞部材８０，８２のコストが低減でき、取付作業の効率が上がる。
【００５８】
上記構成のエレベーターの乗りかご体２０によれば、コーキング等を行うことなく、かご室内壁を構成する複数のパネル部材の向かい合う隙間ΔＳに対し、毛細管作用でかご室２３の外から油が入り込むことを抑制できる。
【符号の説明】
【００５９】
１０  昇降路、１２，１３  ガイドレール、１４，１５  ガイドシュー、１６，１７  給油装置、１８  油滴、１９  開口部、２０  （エレベーターの）乗りかご体、２２  かご室構造体、２３  かご室、２４  床部、２６  天井部、２８  側壁部、３０，３１，３２，３３，３４，３５，３６，３７，３８，３９，４０  縦長パネル部材、４１，４２，４３，４４，４５  幅木パネル部材、５０  天井平板部、５１，５２，５３，５４  天井周面部、６０  壁平板部、６１  （上）壁周面部、６２  （下）壁周面部、６３，６４  （縦）壁周面部、７０  周面部接触面、７１，７３  合わせ目、７２  平板部接触面、７６，７８  突出部、８０，８２  閉塞部材、９０，１１０  クリップ部材、９２，１１２  吸油性部材、９４，１１４  背面部、９６，９７，１１６，１１７  側面部、９８，９９，１１８，１１９  挟み部、１００，１０１，１２０，１２１  開口ガイド部、１３０  長尺閉塞部材。
【図１】
2019156563.tif 000003
【図２】
2019156563.tif 000004
【図３】
2019156563.tif 000005
【図４】
2019156563.tif 000006
【図５】
2019156563.tif 000007
【図６】
2019156563.tif 000008
【図７】
2019156563.tif 000009